(57)【特許請求の範囲】
【請求項１】
ユーザー機器によって実行される方法であって、該方法は、
前記ユーザー機器から基地局へのアップリンク伝送のための無線リソース要求を含むメッセージを作成するステップと、
前記ユーザー機器が、２つ以上のキャリアがアグリゲートされて、１つの一次セルおよび少なくとも１つの二次セルを形成するキャリア・アグリゲーション・モードにあるかどうかを決定するステップであって、前記一次セルおよび少なくとも１つの二次セルは、物理アップリンク制御チャネルをサポートする、ステップと、
前記メッセージを物理アップリンク制御チャネルに割当てるステップであって、該割当てるステップは、前記一次セルの前記物理アップリンク制御チャネルおよび前記少なくとも１つの二次セルのいずれかの物理アップリンク制御チャネルに対し許可される、ステップと、
前記割当てられた物理アップリンク制御チャネルを用いて前記メッセージを伝送するステップと、を含む方法であり、
前記少なくとも１つの二次セルの前記割当てられた物理アップリンク制御チャネルの上で前記メッセージの前記伝送がトリガーされるときに、前記ユーザー機器は、前記少なくとも１つの二次セルのうちの少なくとも１つの前記物理アップリンク制御チャネルの上で伝送させることのみ許可される、方法であって、
伝送されたスケジューリング要求の数をカウントするときに、前記一次セルの使用された前記物理アップリンク制御チャネルおよび任意の二次セルの使用された前記物理アップリンク制御チャネルの両方がカウントされる、方法。
【請求項２】
基地局によって実行される方法であって、該方法は、ユーザー機器から前記基地局へのアップリンク伝送のための無線リソース要求を含むメッセージを受信するステップを含み、
前記ユーザー機器は、２つ以上のキャリアがアグリゲートされて、１つの一次セルおよび少なくとも１つの二次セルを形成するキャリア・アグリゲーション・モードにあり、
前記一次セルおよび少なくとも１つの二次セルは、物理アップリンク制御チャネルをサポートし、
受信した前記メッセージは、割当てられた物理アップリンク制御チャネルを用いて伝送され、該割当ては、前記一次セルの前記物理アップリンク制御チャネルおよび前記少なくとも１つの二次セルのいずれかの物理アップリンク制御チャネルに対し許可され、
前記少なくとも１つの二次セルの前記割当てられた物理アップリンク制御チャネルの上で前記メッセージの前記伝送がトリガーされるときに、前記伝送は、前記少なくとも１つの二次セルのうちの少なくとも１つの前記物理アップリンク制御チャネルの上で許可される、方法であって、
伝送されたスケジューリング要求の数をカウントするときに、前記一次セルの使用された前記物理アップリンク制御チャネルおよび任意の二次セルの使用された前記物理アップリンク制御チャネルの両方がカウントされる、方法。
【請求項３】
前記無線リソース要求はスケジューリング要求を含む、請求項１または２に記載の方法。
【請求項４】
伝送されたスケジューリング要求の数をカウントするときに、任意の二次セルの使用された前記物理アップリンク制御チャネルは無視される、請求項１または２に記載の方法。
【請求項５】
前記一次セルの物理アップリンク制御チャネルを使用する伝送、および、任意の二次セルの物理アップリンク制御チャネルを使用する伝送の両方をカウントするときに、スケジューリング要求伝送カウントの最大数に、構成された物理アップリンク制御チャネルを有するセルの数が乗じられる、請求項１または２に記載の方法。
【請求項６】
前記一次セルの前記物理アップリンク制御チャネルを使用する前記伝送をカウントするだけであるときに、追加のタイマーおよび／または計数器は、前記少なくとも１つの二次セルのいずれかの前記物理アップリンク制御チャネルを制御するように構成される、請求項４に記載の方法。
【請求項７】
前記タイマーおよび／または計数器が最大値に達するかまたは期限切れになったときに、任意の二次セルの物理アップリンク制御チャネルを使用する伝送は停止され、
無線リソース制御に対する通知およびランダム・アクセス・プロシージャの開始に対する通知は、阻止される、請求項６に記載の方法。
【請求項８】
ユーザー機器内で実装される装置であって、該装置は、少なくとも1つのプロセッサと、前記プロセッサにより実行されるべき命令を格納するための少なくとも１つのメモリと、を備え、前記少なくとも１つのメモリおよび前記命令は、該少なくとも１つのプロセッサを用いて、前記装置に、少なくとも、
前記ユーザー機器から基地局へのアップリンク伝送のための無線リソース要求を含むメッセージを作成するステップと、
前記ユーザー機器が、２つ以上のキャリアがアグリゲートされて１つの一次セルおよび少なくとも１つの二次セルを形成するキャリア・アグリゲーション・モードにあるかどうかを決定するステップであって、前記一次セルおよび少なくとも１つの二次セルが物理アップリンク制御チャネルをサポートする、ステップと、
前記メッセージを物理アップリンク制御チャネルに割当てるステップであって、該割当てるステップは、前記一次セルの前記物理アップリンク制御チャネルおよび前記少なくとも１つの二次セルのいずれかの物理アップリンク制御チャネルに対し許可される、ステップと、
前記割当てられた物理アップリンク制御チャネルを用いて前記メッセージを伝送するステップと、を実行させるように構成された、装置であり、
前記少なくとも１つの二次セルの前記割当てられた物理アップリンク制御チャネルの上で前記メッセージの前記伝送がトリガーされるときに、前記伝送は、前記少なくとも１つの二次セルのうちの少なくとも１つの前記物理アップリンク制御チャネルの上で許可される、装置であって、
伝送されたスケジューリング要求の数をカウントするときに、前記一次セルの使用された前記物理アップリンク制御チャネルおよび任意の二次セルの使用された前記物理アップリンク制御チャネルの両方がカウントされる、装置。
【請求項９】
基地局内で実装される装置であって、該装置は、少なくとも1つのプロセッサと、前記プロセッサにより実行されるべき命令を格納するための少なくとも１つのメモリと、を備え、前記少なくとも１つのメモリおよび前記命令は、該少なくとも１つのプロセッサを用いて、前記装置に、少なくとも、
ユーザー機器から前記基地局へのアップリンク伝送のための無線リソース要求を含むメッセージを受信するステップを実行させるように構成され、
前記ユーザー機器は、２つ以上のキャリアがアグリゲートされて１つの一次セルおよび少なくとも１つの二次セルを形成するキャリア・アグリゲーション・モードにあり、
前記一次セルおよび少なくとも１つの二次セルは、物理アップリンク制御チャネルをサポートし、
受信された前記メッセージは、割当てられた物理アップリンク制御チャネルを用いて伝送されており、該割当ては、前記一次セルの前記物理アップリンク制御チャネルおよび前記少なくとも１つの二次セルのいずれかの物理アップリンク制御チャネルに対し許可される、装置であり、
前記少なくとも１つの二次セルの前記割当てられた物理アップリンク制御チャネルの上で前記メッセージの前記伝送がトリガーされるときに、前記伝送は、前記少なくとも１つの二次セルのうちの少なくとも１つの前記物理アップリンク制御チャネルの上で許可される、装置であって、
伝送されたスケジューリング要求の数をカウントするときに、前記一次セルの使用された前記物理アップリンク制御チャネルおよび任意の二次セルの使用された前記物理アップリンク制御チャネルの両方がカウントされる、装置。
【請求項１０】
前記無線リソース要求はスケジューリング要求を含む、請求項８または９に記載の装置。
【請求項１１】
伝送されたスケジューリング要求の数をカウントするときに、任意の二次セルの使用された前記物理アップリンク制御チャネルは無視される、請求項８または９に記載の装置。
【請求項１２】
前記一次セルの物理アップリンク制御チャネルを使用する伝送、および、任意の二次セルの物理アップリンク制御チャネルを使用する伝送の両方をカウントするときに、スケジューリング要求伝送カウントの最大数に、構成された物理アップリンク制御チャネルを有するセルの数が乗じられる、請求項１０に記載の装置。
【請求項１３】
前記一次セルの前記物理アップリンク制御チャネルを使用する前記伝送をカウントするだけであるときに、追加のタイマーおよび／または計数器は、前記少なくとも１つの二次セルのいずれかの前記物理アップリンク制御チャネルを制御するように構成される、請求項１１に記載の装置。
【請求項１４】
前記タイマーおよび／または計数器が最大値に達するかまたは期限切れになったときに、任意の二次セルの物理アップリンク制御チャネルを使用する伝送は停止され、無線リソース制御に対する通知およびランダム・アクセス・プロシージャの開始に対する通知は、阻止される、請求項１３に記載の装置。
【請求項１５】
コンピュータ上で実行されるとき、請求項１ないし７のいずれか１項に記載の方法を実行するためのソフトウェア・コード部分を含む、コンピュータ・プログラム。
【発明の詳細な説明】
【技術分野】
【０００１】
本発明は、概して、通信ネットワークに関し、より具体的には、キャリア・アグリゲーションにおける二次スケジューリング要求のハンドリングのための方法、装置およびコンピュータ・プログラム・プロダクトに関する。
【背景技術】
【０００２】
移動体データ伝送およびデータ・サービスは、つねに進歩しており、ここでこのようなサービスは、音声、映像、パケット・データ、メッセージング、ブロードキャストなどのさまざまな通信サービスを提供する。近年、ロング・ターム・エボリューションＬＴＥ（商標）が規定されてきており、これは、３ＧＰＰ仕様にしたがった無線通信アーキテクチャとして進化型汎用地上波無線アクセス・ネットワークＥ−ＵＴＲＡＮを使用する。
【０００３】
概して、いわゆるユーザー機器ＵＥなどの通信デバイスは、２つ以上のセルと通信することができる。高性能化を目的として、２つ以上のセルとの通信を提供することができる。このような提供は、例えばキャリア・アグリゲーションＣＡに基づいて確保できる。キャリア・アグリゲーションであっては、帯域幅を増大させるために、複数のキャリアがアグリゲートされる。キャリア・アグリゲーションには、複数のコンポーネント・キャリアをアグリゲートすることが含まれる。
【０００４】
ＬＴＥ−アドバンストＬＴＥ−Ａは、キャリア・アグリゲーションを提供する能力を有するシステムの一例である。ＬＴＥ−Ａであっては、より広い伝送帯域幅をサポートするためおよび／またはスペクトル・アグリゲーションのために、２つ以上のコンポーネント・キャリアＣＣをアグリゲートすることができる。したがって、ＬＴＥ−アドバンストは、例えばダウンリンク内で１Ｇｂｐｓおよびアップリンク内で５００Ｍｂｐｓのピーク・データ速度をサポートすることを目的としている。このような要件を満たすためには、最高１００ＭＨｚの伝送帯域幅が必要とされる。隣接スペクトルのこのような大きな部分を利用できるのは、実際には稀であることから、ＬＴＥ−Ａは、高帯域幅の伝送を達成するために、多数のＣＣのキャリア・アグリゲーションを利用する。これを行う上で、ＬＴＥ−Ａは、２０ＭＨｚのＣＣの最大５つまでのアグリゲーションをサポートする。
【０００５】
Ｅ−ＵＴＲＡ仕様のリリース１０（すなわち３ＧＰＰＴＳ３６．３００）は、キャリア・アグリゲーションＣＡを導入し、この場合、最高１００ＭＨｚのより広い伝送帯域幅をサポートするために、２つ以上のコンポーネント・キャリアＣＣがアグリゲートされる。ＣＡであっては、アップリンクＵＬおよびダウンリンクＤＬ内で、場合によって異なる帯域幅を有し同じｅＮｏｄｅＢ  ｅＮＢに由来する異なる数のＣＣをアグリゲートするようにＵＥを構成することが可能である。
【０００６】
ＣＡにある場合、ＵＥはつねに一次セルＰＣｅｌｌを用いて構成される。ＰＣｅｌｌは、セキュリティ、非アクセス・ストレータムＮＡＳモビリティ、物理アップリンク制御チャネルＰＵＣＣＨ（スケジューリング要求を含む）の伝送のために使用される。他の全てのＣＣは、二次セルＳＣｅｌｌと呼ばれ、構成されたＰＵＣＣＨを有さない。その上、ＣＡであっては、ＵＥ電力消費を削減するためにＣＣ／ＳＣｅｌｌを非アクティブ化する可能性がサポートされている。非アクティブ化されたＳＣｅｌｌのＵＥ監視アクティビティは削減され（ＰＤＣＣＨ監視もチャネル品質標示ＣＱＩ測定も全く行なわれない）、非アクティブ化されたキャリア内のＵＬアクティビティも同様に停止される（サウンディング基準信号ＳＲＳ）。
【０００７】
その上、３ＧＰＰ仕様のリリース８（すなわち３ＧＰＰ  ＴＳ３６．３２１）以来、スケジューラを補助するために、ｅＮＢは、アップリンク内でバッファ・ステータス・リポートＢＳＲおよびパワー・ヘッドルーム・リポートＰＨＲを送るようにＵＥを構成することができる。ＢＳＲは、伝送のためにＵＥが利用できるデータ量を標示し、典型的に、適切なトランスポート・ブロック・サイズを選択するためにｅＮＢによって使用され、一方、ＰＨＲは典型的に、適切な変調およびコーディング・スキームＭＣＳおよび割振られた物理的リソース・ブロックＰＰＢの数を選択するために使用される。
【０００８】
他の条件の中でも上述のリリース８仕様によると、Ｅ−ＵＴＲＡであって、伝送のためにすでに利用可能なデータよりも高い優先度を有するデータがＵＥバッファに到達した場合（パケット・データ収束プロトコルＰＤＣＰまたは無線リンク制御ＲＬＣであって）、および／または空のＵＥバッファ内に新しいデータが到着した場合、ＵＥ内でＢＳＲがトリガーされる。
【０００９】
ＢＳＲがトリガーされている伝送時間間隔ＴＴＩの間、物理的アップリンク共有チャネルＰＵＳＣＨ上で利用可能な割振りをＵＥが全く有していない場合には、スケジューリング要求ＳＲがトリガーされる。ひとたびＳＲがトリガーされたならば、ＲＲＣシグナリングを介してｅＮＢにより一定の周期性でＵＥベースで割振られる専用リソースを用いて物理アップリンク制御チャネルＰＵＣＣＨ上でスケジューリング要求が伝送されるか、または、ＰＵＣＣＨが全く利用できない場合には、スケジューリング要求はランダム・アクセス・プロシージャを使用する。ＵＥに対して新しい伝送がグラント付与されるまで、またはＰＵＣＣＨ上の固定数のスケジューリング要求が送信されてしまうまで、ＳＲはペンディング状態にとどまる。
【００１０】
現在、ＰＵＣＣＨ内でＳＲが伝送され、ここでＰＵＣＣＨはＰＣｅｌｌに割当てられている。近年、ＰＣｅｌｌのシグナリング負担を削減するために、ＳＣｅｌｌ上にもＰＵＣＣＨを確立することが論議されてきた。こうして、例えば３ＧＰＰ  Ｗｏｒｋ  Ｉｔｅｍ  ＲＰ−１４２２６６にしたがって、アップリンクキャリア・アグリゲーションをサポートするＵＥのためのＳＣｅｌｌ上のＰＵＣＣＨのサポートを規定し補完することが合意された。
【００１１】
しかしながら、キャリア・アグリゲーションであって複数のＰＵＣＣＨをハンドリングする問題が浮上している。
【発明の概要】
【発明が解決しようとする課題】
【００１２】
したがって、先行技術の欠点を克服するために、キャリア・アグリゲーションの改良された利用を提供することが、本発明の基礎をなす目的である。
【００１３】
詳細には、多数のＰＵＣＣＨを有する場合の、二次スケジューリング要求の改善されたハンドリングのための方法、装置およびコンピュータ・プログラム・プロダクトを提供することが本発明の目的である。
【課題を解決するための手段】
【００１４】
本発明の第１の態様によると、ユーザー機器によって行なわれる方法であって、ユーザー機器から基地局へのアップリンク伝送のための無線リソース要求を含むメッセージを作成するステップと、ユーザー機器が、２つ以上のキャリアがアグリゲートされて１つの一次セルおよび少なくとも１つの二次セルを形成するキャリア・アグリゲーション・モードにあるかどうかを決定するステップであって、一次セルおよび少なくとも１つの二次セルが物理アップリンク制御チャネルをサポートしているステップと、メッセージを物理アップリンク制御チャネルに割当てるステップであって、割当てが一次セルの物理アップリンク制御チャネルおよび少なくとも１つの二次セルのいずれかの物理アップリンク制御チャネルに対し許可されるステップと、割当てられた物理アップリンク制御チャネルを用いてメッセージを伝送するステップと、を含む方法が提供されている。
【００１５】
本発明の第２の態様によると、ユーザー機器内で実装される装置であって、少なくとも１つのプロセッサと、プロセッサにより実行されるべき命令を記憶するための少なくとも１つのメモリと、を備え、少なくとも１つのメモリおよび命令は、少なくとも１つのプロセッサを用いて、装置に、少なくとも、ユーザー機器から基地局へのアップリンク伝送のための無線リソース要求を含むメッセージを作成するステップと、ユーザー機器が、２つ以上のキャリアがアグリゲートされて１つの一次セルおよび少なくとも１つの二次セルを形成するキャリア・アグリゲーション・モードにあるかどうかを決定するステップであって、一次セルおよび少なくとも１つの二次セルが物理アップリンク制御チャネルをサポートしているステップと、メッセージを物理アップリンク制御チャネルに割当てるステップであって、割当てが一次セルの物理アップリンク制御チャネルおよび少なくとも１つの二次セルのいずれかの物理アップリンク制御チャネルに対し許可されるステップと、割当てられた物理アップリンク制御チャネルを用いてメッセージを伝送するステップと、が提供されている。
【００１６】
本発明の第３の態様によると、基地局によって行なわれる方法であって、ユーザー機器から基地局へのアップリンク伝送のための無線リソース要求を含むメッセージを受信するステップを含む方法であって、ユーザー機器は、２つ以上のキャリアがアグリゲートされて１つの一次セルおよび少なくとも１つの二次セルを形成するキャリア・アグリゲーション・モードにあり、一次セルおよび少なくとも１つの二次セルが物理アップリンク制御チャネルをサポートしており、受信メッセージは、割当てられた物理アップリンク制御チャネルを用いて伝送されており、割当ては一次セルの物理アップリンク制御チャネルおよび少なくとも１つの二次セルのいずれかの物理アップリンク制御チャネルに対し許可される、方法が提供されている。
【００１７】
本発明の第４の態様によると、基地局内で実装される装置であって、少なくとも１つのプロセッサと、プロセッサにより実行されるべき命令を記憶するための少なくとも１つのメモリと、を備え、少なくとも１つのメモリおよび命令は、少なくとも１つのプロセッサを用いて、装置に、少なくとも、ユーザー機器から基地局へのアップリンク伝送のための無線リソース要求を含むメッセージを受信するステップを行わせるように構成されており、ユーザー機器は、２つ以上のキャリアがアグリゲートされて１つの一次セルおよび少なくとも１つの二次セルを形成するキャリア・アグリゲーション・モードにあり、一次セルおよび少なくとも１つの二次セルが物理アップリンク制御チャネルをサポートしており、受信メッセージは、割当てられた物理アップリンク制御チャネルを用いて伝送されており、割当ては一次セルの物理アップリンク制御チャネルおよび少なくとも１つの二次セルのいずれかの物理アップリンク制御チャネルに対し許可される、装置が提供されている。
【００１８】
本発明の第５の態様によると、プログラムが実行されたとき、第１または第３の態様に係る方法を実施するように構成されているコンピュータ実行可能なコンポーネントを含むコンピュータ・プログラム・プロダクトが提供されている。
【００１９】
本発明の上述の例示的態様の有利なさらなる開発または修正が従属クレームであって提示されている。
【００２０】
本発明のいくつかの実施形態によると、要求はスケジューリング要求を含む。
【００２１】
本発明のいくつかの実施形態によると、メッセージの伝送がトリガーされた場合に、ユーザー機器は、対応する二次セルがアクティブ化されているかどうかとは無関係に、任意の二次セルの物理アップリンク制御チャネル上で伝送をさせることが許可される。
【００２２】
本発明のいくつかの実施形態によると、任意の二次セルの物理アップリンク制御チャネル上の伝送をさせたならば、対応する二次セルは、前記監視アクティビティが、前記スケジューリング要求を満足するすべての可能なグラントの識別を開始することが可能になるようにアクティブ化される。
【００２３】
本発明のいくつかの実施形態によると、メッセージの伝送がトリガーされた場合、ユーザー機器は、アクティブ化されている二次セルの物理アップリンク制御チャネル上の伝送をさせることのみ許可される。
【００２４】
本発明のいくつかの実施形態によると、伝送されたスケジューリング要求の数を計数する場合、一次セルの使用された物理アップリンク制御チャネルおよび任意の二次セルの使用された物理アップリンク制御チャネルの両方が計数される。
【００２５】
本発明のいくつかの実施形態によると、伝送されたスケジューリング要求の数を計数する場合、任意の二次セルの使用された物理アップリンク制御チャネルは無視される。
【００２６】
本発明のいくつかの実施形態によると、一次セルの物理アップリンク制御チャネルを使用する伝送および任意の二次セルの物理アップリンク制御チャネルを使用する伝送の両方を計数する場合、スケジューリング要求伝送計数の最大数に、構成された物理アップリンク制御チャネルを有するセルの数が乗じられる。
【００２７】
さらに、本発明のいくつかの実施形態によると、一次セルの物理アップリンク制御チャネルを使用する伝送を計数するだけである場合、追加のタイマーおよび／または計数器は、少なくとも１つの二次セルのいずれかの物理アップリンク制御チャネルを制御するように構成される。
【００２８】
さらに、本発明のいくつかの実施形態によると、タイマーおよび／または計数器が最大値に達するかまたは満了した時点で、任意の二次セルの物理アップリンク制御チャネルを使用する伝送は停止され、前記無線リソース制御に対する通知、および、ランダム・アクセス・プロシージャの開始に対する通知は阻止される。
【００２９】
本発明の例示的実施形態をより完全に理解するために、ここで添付図面と関連付けて取上げられる以下の説明の参照が指示される。
【図面の簡単な説明】
【００３０】
【図１】本発明のいくつかの実施形態に係るネットワークの概略図を例示する。
【図２】ユーザー機器によって実施されることのできる、本発明のいくつかの実施形態に係る方法を例示する。
【図３】ユーザー機器内に含まれることのできる、本発明のいくつかの実施形態に係る装置の全体的構造を描写する。
【図４】基地局により実施されることのできる、本発明のいくつかの実施形態に係る方法を例示する。
【図５】基地局内に含まれることのできる、本発明のいくつかの実施形態に係る装置の全体的構造を描写する。
【発明を実施するための形態】
【００３１】
本発明の例示的態様について、本明細書の以下で説明する。より具体的には、本発明の例示的態様は、以下で特定の非限定的実施例および本発明の構想可能な実施形態と現在みなされているものを参考にして説明される。当業者であれば、本発明が決してこれらの実施例に限定されず、より広く応用できるものであることを認識する。
【００３２】
本発明およびその実施形態についての以下の説明が主として、いくつかの例示的ネットワーク構成および展開のための非限定的実施例として使用されている仕様に関するものであることに留意すべきである。すなわち、本発明およびその実施形態は、主として、いくつかの例示的ネットワーク構成および展開についての非限定的な実施例として使用されている３ＧＰＰ仕様に関連して説明される。したがって、本明細書中に提供されている例示的実施形態の説明は、具体的に、この仕様に直接関係づけられる用語を基準にしている。このような用語は、提示されている非限定的な実施例の文脈内でのみ使用され、当然のことながら、いかなる形であれ本発明を限定しない。むしろ、本明細書中に説明されている特徴に適合するかぎり、他のあらゆるネットワーク構成またはシステム展開などを同様に使用できる。
【００３３】
開示のいくつかの実施例バージョンおよび実施形態が、図面を参照しながら説明される。以下では、通信ネットワークの一例としてＬＴＥ−Ａｄｖａｎｃｅｄベースのシステムなどのセルラー無線通信ネットワークを用いて、異なる例証用実施例が説明される。しかしながら、本発明は、このようなタイプの通信システムを用いた利用分野に限定されず、無線システムであれ、有線システムであれ、またはそれらの組合せを使用するシステムであれ、他の通信システムであっても利用可能である。
【００３４】
以下では、本発明のさまざまな実施形態および実装ならびにその態様または実施形態が、複数の変形形態を用いて説明される。概して、一定のニーズおよび制約条件に応じて、説明された変形形態の全てを単独で、またはさまざまな変形形態の個別の特徴の組合せを同様に含む任意の想定可能な組合せの形で提供することができる、ということが指摘される。
【００３５】
詳細には、以下の実施例バージョンおよび実施形態は、単に例示的実施例として理解されるべきものである。明細書は、複数の場所で、「ａｎ」「ｏｎｅ」または「ｓｏｍｅ」実施例バージョンまたは実施形態に言及する可能性があるものの、これは必ずしも、このような言及の各々が同じ実施例バージョンまたは実施形態に対するものであることあるいは特徴が単一の実施例バージョンまたは実施形態のみにあてはまることを意味するわけではない。異なる実施形態の単一の特徴は同様に、他の実施形態を提供するために組合わされることもできる。さらに、「ｃｏｍｐｒｉｓｉｎｇ（〜を備える、含む）」および「ｉｎｃｌｕｄｉｎｇ（〜を含む）」なる用語は、説明されている実施形態を言及されてきた特徴のみで構成されるように限定しないものとして理解されるべきであり、このような実施例バージョンおよび実施形態は、同様に具体的に言及されなかった特徴、構造、ユニット、モジュールなども含むことができる。
【００３６】
概して、遠隔通信ネットワークは、複数のネットワーク要素、例えば進化型Ｎｏｄｅ  Ｂ（ｅＮＢ；すなわちＬＴＥ−Ａ環境内の基地局）、ユーザー機器ＵＥ（例えば、携帯電話、スマートホン、コンピュータなど）、コントローラ、インターフェースなど、および特に遠隔通信サービスの提供であって使用される任意の機器を含む。
【００３７】
説明される要素の一般的機能および相互接続は、実際のネットワークタイプにも依存し、当業者が知っているものであり、対応する仕様書中に記載されていることから、その詳細な説明は、本明細書であっては省略される。しかしながら、本明細書の以下で説明されるもの以外の基地局および通信ネットワークへのまたはこれらからの通信のために、複数の追加のネットワーク要素およびシグナリング・リンクを利用することができるということを指摘しておくべきである。
【００３８】
図１に標示されているように、無線サービス・エリアまたはセルを提供する基地局または類似の無線送信機および／または受信機ノードを介して、異なるタイプの通信デバイス１０１、１０２、１０３を無線接続することができる。図１には、基地局１０６、１０７、１１８および１２０によって形成される異なる隣接するおよび／または重複する無線サービスが示されている。セルの境界は、例示のみを目的として概略的に示されていることに留意すべきであり、ここで、セルおよび他の無線サービス・エリアのサイズおよび形状は、図１の全方向性の形状から著しく変動し得るということを理解するべきである。基地局サイトは１つ以上のセルまたはセクターを提供でき、各セクターは、１つのセルまたはセルのサブエリアを提供する。各通信デバイスおよび基地局は、同時に開放した１つ以上の無線チャネルを有することができ、２つ以上のソースと信号を送信および／または受信することができる。
【００３９】
基地局は典型的には、その動作およびこの基地局と通信状態にある移動体通信デバイスの管理を可能にするために、少なくとも１つの適切なコントローラ装置によって制御される。制御装置は他の制御エンティティと相互接続され得る。制御装置には典型的に、メモリ容量および少なくとも１つのデータ・プロセッサが備わっていることが可能である。制御装置および機能を、複数の制御ユニット間で分散させることができる。いくつかの実施形態であって、各基地局が１つの制御装置を含むことができる。変形実施形態であっては、２つ以上の基地局が制御装置を共有できる。一部の実施形態であって、制御装置を、各々の基地局内にそれぞれ提供することができる。
【００４０】
考えられるセルの異なるタイプには、マクロ・セル、ピコ・セルおよびフェムト・セルとして知られるものが含まれる。例えば、伝送／受信ポイントまたは基地局は、例えばセルまたは相似の無線サービス・エリア全体のためのカバレッジを提供することのできる広域ネットワーク・ノード例えばマクロｅＮｏｄｅＢ  ｅＮＢを含むことができる。基地局は同様に、例えばＨｏｍｅ  ｅＮＢ、ＨｅＮＢ、ピコｅＮｏｄｅＢｓ  ピコｅＮＢ、またはフェムト・ノードなどの小さいまたはローカルな無線サービス・エリア・ネットワーク・ノードによっても提供され得る。一部の利用分野は、例えば１つのｅＮＢに接続される無線遠隔ヘッドＲＲＨを使用する。セルは重複可能であることから、１つのエリア内の通信デバイスが、２つ以上の基地局をリスニングし、これらに伝送を行うことができる。より小さい無線サービス・エリアを完全にまたは少なくとも部分的に、より大きい無線サービス・エリア内に位置設定することができる。こうして通信デバイスは、２つ以上のセルと通信することができる。
【００４１】
特定の一実施例であって、図１は、一次セルＰＣｅｌｌ１００を描写している。この実施例では、一次セル１００は、マクロｅＮＢにより提供される広域基地局１０６によって提供され得る。マクロｅＮＢ１０６は、セル１００のカバレッジ全体にわたり、データを伝送し受信する。この実施例における二次セルＳＣｅｌｌ１１０は、ピコ−セルである。二次セルは同様に、Ｈｏｍｅ  ｅＮＢ  ＨｅＮＢ（フェムト・セル）または別のピコｅＮｏｄｅＢ（ピコ−ｅＮＢ）などの別の好適な小エリア・ネットワーク・ノード１１８によっても提供され得る。さらにもう１つのセル１１９は、セル１００の基地局装置に接続された遠隔無線ヘッド（ＲＲＨ）１２０によって提供されるものとして示されている。
【００４２】
基地局は、固定ライン接続および／またはエア・インターフェイスを介して、互いを介して通信できる。基地局ノード間の論理的接続は、例えばＸ２インターフェースによって提供され得る。図１であって、このインターフェースは、１０５と記された破線によって示されている。
【００４３】
キャリア・アグリゲーション用に構成されているＵＥは、ＰＣｅｌｌとして知られている一次サービング・セルに対して、およびＳＣｅｌｌとして知られる１つ以上の二次サービング・セルと接続する。ＰＣｅｌｌは、接続確立中に最初に構成されるセルとして定義される。すでに上述したように、ＰＣｅｌｌは、これまでは、セキュリティ、非アクセス・ストレータム（ＮＡＳ）モビリティ情報、構成されたセルのためのシステム情報、およびいくつかの下層機能に関する役割を果たしてきた。
【００４４】
初期セキュリティ・アクティブ化プロシージャの後、進化型ユニバーサル地上波無線アクセス・ネットワークＥ−ＵＴＲＡＮは、接続確立中に最初に構成されるＰＣｅｌｌに加えて、１つ以上のＳＣｅｌｌｓと共にキャリア・アグリゲーションをサポートするＵＥを構成することができる。ＵＥのための構成されたサービング・セル・セットは、つねに１つのＰＣｅｌｌを格納し、１つ以上のＳＣｅｌｌも格納することができる。構成され得る供用セルの数は、ＵＥのアプリケーション能力に依存することができる。ＰＣｅｌｌとの単一の無線リソース制御ＲＲＣ接続が確立され、これはＵＥのために構成された全てのＣＣを制御することができる。
【００４５】
ＰＣｅｌｌに対するＲＲＣ接続の確立が行なわれた後、ＲＲＣによりＳＣｅｌｌの再構成、付加および除去を行うことができる。接続モードであって、ＳＣｅｌｌのためのＳＩの変更は、影響を受けるＳＣｅｌｌの解除および付加によってハンドリングされる。このような解除および付加は、単一のＲＲＣ再構成メッセージを用いて行うことができる。
【００４６】
不連続受信ＤＲＸ動作に加えて、個別のＳＣｅｌｌのアクティブ化および非アクティブ化によって、或る種のＵＥのパワー・セービングを達成することができる。ＳＣｅｌｌのアクティブ化および非アクティブ化は、ｅＮｏｄｅＢの制御下にあることができる。アクティブ化および非アクティブ化は、８ビットマップにより標示される１つ以上のＳＣｅｌｌをアクティブ化または非アクティブ化できる、媒体アクセス制御ＭＡＣ制御要素を用いて実行可能である。一定の期間ＣＣ／ＳＣｅｌｌ上でいかなるデータもＰＤＣＣＨメッセージも受信されない場合、自動的な非アクティブ化のためにタイマーを使用することもできる。
【００４７】
多重ＰＵＣＣＨの場合、スケジューリング要求で多重ＰＵＣＣＨをハンドリングする問題が浮上する。本発明の好ましい例示的バージョンについての以下の説明であっては、ＰＣｅｌｌのＰＵＣＣＨ上のＳＲは、「ＰＳＲ」と呼ばれ、一方ＳＣｅｌｌのＰＵＣＣＨ上のＳＲは「ＳＳＲ」と呼ばれる。１つ以上の追加のＳＳＲが存在し得る一方で、ＰＳＲはつねに唯一１つしか存在しない。
【００４８】
概して、ＳＲは、ＵＥがＰＵＳＣＨを伝送できるようにＵＬグラントを送信するようにネットワークにＵＥが要請するための特殊な物理層メッセージである。
【００４９】
図２は、例えばＬＴＥ−Ａ環境下でユーザー機器が行うことのできる、開示のいくつかの実施例バージョンに係る方法を示す。
【００５０】
ステップＳ２１であって、ユーザー機器から基地局へのアップリンク伝送のための無線リソース要求を含むメッセージが作成される。
【００５１】
次にステップＳ２２であって、ユーザー機器が、２つ以上のキャリアがアグリゲートされて１つの一次セルおよび少なくとも１つの二次セルを形成するキャリア・アグリゲーション・モードにあるかどうかが決定され、一次セルおよび少なくとも１つの二次セルは、物理アップリンク制御チャネルをサポートしている。
【００５２】
さらに、ステップＳ２３では、メッセージは物理アップリンク制御チャネルに割当てられ、ここで、割当ては一次セルの前記物理アップリンク制御チャネルおよび前記少なくとも１つの二次セルのいずれかの物理アップリンク制御チャネルに対し許可される。
【００５３】
さらにまた、ステップＳ２４は、割当てられた物理アップリンク制御チャネルを用いたメッセージの伝送をさせる。
【００５４】
図３および５には、開示の実施例バージョンのいくつかと関連して説明されたキャリア・アグリゲーションであって二次スケジューリング要求のハンドリングを実装するように構成されている、開示のいくつかの実施例バージョンに係る、ＬＴＥ−Ａで動作可能なユーザー機器（図３）およびＬＴＥ−Ａで動作可能な基地局ｅＮｏｄｅＢ（図５）などの、ネットワーク要素内に含まれた１要素の構成を例示するダイアグラムが示されている。実施形態は、ネットワーク要素（例えばＵＥ／ｅＮｏｄｅＢ）内でまたはこの要素によって実施されることができる。ネットワーク要素は、同様に、ネットワーク要素の一部であるかまたはネットワーク要素に対して別個の要素として取付けられることもできるチップセット、チップ、モジュールなどの要素または機能を含むことができるという点に留意すべきである。各ブロックおよびその任意の組合せを、さまざまな手段またはそれらの組合せ、例えばハードウェア、ソフトウェア、ファームウェア、１つ以上のプロセッサおよび／または回路によって実装できることを理解すべきである。
【００５５】
それぞれ図３および５に示されているネットワーク要素３０、５０は、ネットワーク要素制御プロシージャに関連するプログラムなどにより与えられた命令を実行するのに好適であるＣＰＵなどの処理機能、制御ユニットまたはプロセッサ３１、５１を含むことができる。
【００５６】
図３であっては、プロセッサ３１は、ユーザー機器により行なわれる上述の方法に関連する処理を実行するように構成されている。詳細には、プロセッサ３１は、ユーザー機器から基地局へのアップリンク伝送のための無線リソース要求を含むメッセージをコンパイルするように構成された作成ユニットとして下位部分３１０を含む。部分３１０は、図２のＳ２１にしたがって処理を行うように構成され得る。さらに、プロセッサ３１は、ユーザー機器が、２つ以上のキャリアがアグリゲートされて１つの一次セルおよび少なくとも１つの二次セルを形成するキャリア・アグリゲーション・モードにあるかどうかを決定するように構成された決定ユニットとして使用可能な下位部分３１１を含み、ここで一次セルおよび少なくとも１つの二次セルは物理アップリンク制御チャネルをサポートしている。部分３１１は、図２のＳ２２に係る処理を行うように構成され得る。さらに、プロセッサ３１は、物理アップリンク制御チャネルにメッセージを割当てるように構成された割当てユニットとして使用可能な下位部分３１２を含み、ここで、割当ては、一次セルの物理アップリンク制御チャネルおよび少なくとも１つの二次セルのいずれかの物理アップリンク制御チャネルに対し許可される。部分３１２は、図２のＳ２３にしたがって処理を行うように構成され得る。さらにまた、プロセッサ３１は、割当てられた物理アップリンク制御チャネルを用いたメッセージの伝送をさせるように構成された伝送ユニットとして使用可能な下位部分３１３を含む。部分３１３は、図２のＳ２４にしたがって処理を行うように構成され得る。
【００５７】
参照符号３２、５２および３３、５３は、プロセッサ３１、５１に接続された送受信機または入出力（Ｉ／Ｏ）ユニットを表す。Ｉ／Ｏユニット３２、５２を、ネットワーク要素との通信のために使用することができる。管理アプリケーションと通信するために、Ｉ／Ｏユニット３３、５３を使用することができる。参照符号３４、５４は、例えば、プロセッサ３１、５１により実行されるべきデータおよびプログラムを記憶するため、および／またはプロセッサ３１、５１の作業用記憶装置として使用可能なメモリを表わす。
【００５８】
図４は、例えばＬＴＥ−Ａ環境下で基地局が行うことのできる、開示のいくつかの実施例バージョンに係る方法を示す。
【００５９】
ステップＳ４１では、ユーザー機器から基地局へのアップリンク伝送のための無線リソース要求を含むメッセージを受信するステップ。
【００６０】
こうして、ユーザー機器は、２つ以上のキャリアがアグリゲートされて１つの一次セルおよび少なくとも１つの二次セルを形成するキャリア・アグリゲーション・モードにあり、前記一次セルおよび少なくとも１つの二次セルは、物理アップリンク制御チャネルをサポートしており、受信メッセージは、割当てられた物理アップリンク制御チャネルを用いて伝送されており、割当ては一次セルの物理アップリンク制御チャネルおよび少なくとも１つの二次セルのいずれかの物理アップリンク制御チャネルに対し許可される。
【００６１】
図５であって、プロセッサ５１は、上述の方法に関連する処理を実行するように構成されている。詳細には、プロセッサ５１は、ユーザー機器から基地局へのアップリンク伝送のための無線リソース要求を含むメッセージを受信するように構成された受信ユニットとしての下位部分５１０を含む。部分５１０は、図４のＳ４１にしたがって処理を行うように構成され得る。
【００６２】
本発明のいくつかの実施形態によると、構成されたＳＣｅｌｌ上でＵＬ（ＰＵＣＣＨ）でのスケジューリング要求ＳＲメッセージの伝送のためのサポートが提案されている。さらに、本発明のいくつかの例示的バージョンにしたがって、デュアルＰＵＣＣＨの場合のＳＲについてのＵＥの挙動が調節される。
【００６３】
すなわち、本発明によると、ＳＲがトリガーされる場合、ＰＳＲおよびＳＳＲの両方を使用することができる。代替的には、それらが重複する場合、ＰＳＲのみを送信することができる。
【００６４】
さらに、ＳＲがトリガーされる場合、本発明のいくつかの実施形態によると、ＵＥは、対応するＳＣｅｌｌがアクティブ化されているかどうかとは無関係に、ＳＳＲを送信するようにアクティブ化される。
【００６５】
したがって、ひとたびＳＳＲが送信されると、監視アクティビティが、スケジューリング要求を満たす考えられる全てのグラントの識別を開始できるように、対応するＳＣｅｌｌをアクティブ化させることができる。
【００６６】
代替的には、対応するＳＣｅｌｌがすでにアクティブ化されている場合にのみ、ＳＳＲを送信することができる。
【００６７】
本発明のいくつかの例示的バージョンによると、送信されたＳＲの数が計数される場合、ＰＳＲとＳＳＲの両方を計数することができる。代替的には、ＳＳＲを無視することができる。
【００６８】
ＰＳＲおよびＳＳＲの両方を計数する場合、ｄｓｒ−ＴｒａｎｓＭａｘ、すなわちＳＲ伝送計数の最大数に、構成されたＰＵＣＣＨを有するセルの数が乗じられる。代替的には、ｄｓｒ−ＴｒａｎｓＭａｘは、手付かずの状態に残される。
【００６９】
これとは対照的に、ＰＳＲのみが計数される場合には、追加のタイマー／計数器を、ＳＳＲを制御するように構成することができる。したがって、本発明のいくつかの実施形態によると、このタイマー／計数器が最大値に達するか満了した時点で、ＳＳＲは停止させられるが、ＲＲＣは通知されず、こうしてランダム・アクセス・プロシージャは開始されない。
【００７０】
本発明のさらなる例示的バージョンであっては、ＳＣｅｌｌのみのＰＵＣＣＨを用いて、スケジューリング要求ＳＲを含むメッセージを伝送することができる。
【００７１】
本発明によると、ＳＣｅｌｌ上でのＳＲの伝送は、ＵＬスケジューリングのより高い融通性、およびどのコンポーネント・キャリアを使用すべきかの潜在的により優れた選択を可能にする。詳細には、本発明は、スケジューリング要求を伝送するように構成された多重ＰＵＣＣＨを有することの利益を享受することを可能にする。
【００７２】
本発明の実施形態は、回路として、ソフトウェア、ハードウェア、アプリケーション論理またはソフトウェア、ハードウェアおよびアプリケーション論理の組合せの形で実装できるという点に留意すべきである。一例示的実施形態であって、アプリケーション論理、ソフトウェアまたは命令セットは、従来のさまざまなコンピュータ可読媒体のいずれかの上に維持されている。本明細書に関連して、「コンピュータ可読媒体」は、命令実行システム、装置またはデバイス、例えばコンピュータまたはスマートホンまたはユーザー機器によるまたはこれらに関連する使用のための命令を格納、記憶、通信、伝播または輸送することのできるあらゆる媒体または手段であることができる。
【００７３】
本出願中で使用される「回路」という用語は、（ａ）ハードウェア専用回路実装（例えばアナログおよび／またはデジタル回路のみにおける実装）および（ｂ）回路およびソフトウェア（および／またはファームウェア）の組合せ、例えば（該当する場合）：（ｉ）プロセッサの組合せ、または（ｉｉ）携帯電話またはサーバーなどの装置にさまざまな機能を行わせるために協働するプロセッサ／ソフトウェア（デジタル信号プロセッサ、ソフトウェアおよびメモリを含む）の部分、および（ｃ）ソフトウェアまたはファームウェアが物理的に存在しない場合でも、動作のためにソフトウェアまたはファームウェアを必要とするマイクロプロセッサまたはマイクロプロセッサの一部分などの回路、を意味する。この「回路」の定義は、いずれかのクレーム中を含めた、本出願中でのこの用語の全ての使用にあてはまる。さらなる例として、本出願内に使用される「回路」なる用語は、同様に、１台のプロセッサのみ（または多数のプロセッサ）あるいはプロセッサおよびその付随するソフトウェアおよび／またはファームウェアの一部分をもカバーすると考えられる。「回路」という用語は同様に、一例としておよび特定のクレームの要素に該当する場合、ベースバンド集積回路または携帯電話用の応用プロセッサ集積回路またはサーバー、セルラーネットワーク・デバイスまたは他のネットワーク・デバイス内の類似の集積回路をもカバーすると考えられる。
【００７４】
所望される場合、本明細書中で論述されている異なる機能を、異なる順序でおよび／または互いに同時に行うことができる。さらに、所望される場合、上述の機能のうちの１つ以上は任意であることができ、あるいは組合わせることができる。
【００７５】
本発明のさまざまな態様が、独立クレーム中で提示されているが、本発明の他の態様は、クレーム中で明示的に提示されている組合せだけでなく、説明されている実施形態および／または独立クレームの特徴を伴う独立クレームからの特徴の他の組合せを含んでいる。
【００７６】
本発明の上述の例示的実施形態を限定的な意味合いで考慮すべきではないということも理解しなければならない。むしろ、添付クレーム内に定義されている本発明の範囲から逸脱することなく行うことのできる変更および修正がいくつか存在する。
【００７７】
本明細書中で使用されている略号には以下の意味が適用される。
３ＧＰＰ      第３世代パートナーシップ・プロジェクト
ＢＳＲ        バッファ・ステータス・レポート
ＣＡ          キャリア・アグリゲーション
ＣＣ          コンポーネント・キャリア
Ｅ−ＵＴＲＡ  進化型ＵＭＴＳ地上波無線アクセス
ＬＴＥ        ロング・ターム・エボリューション
ＭＣＳ        変調およびコーディング・スキーム
ＰＨＲ        パワー・ヘッドルーム・レポート
ＰＲＢ        物理リソース・ブロック
ＰＵＳＣＨ    物理アップリンク共有チャネル
ＰＵＣＣＨ    物理アップリンク制御チャネル
ＳＩ          システム情報
ＳＲ          スケジューリング要求
ＵＥ          ユーザー機器
【図１】
0006546285.tif 000002
【図２】
0006546285.tif 000003
【図３】
0006546285.tif 000004
【図４】
0006546285.tif 000005
【図５】
0006546285.tif 000006